(57)【要約】 【課題】  画像に付加する付加情報を簡便に生成することができる画像管理システム、撮影装置、画像管理サーバ、および画像管理方法を提供する。【解決手段】  デジタルカメラ１と、そのデジタルカメラ１とＵＳＢケーブル３０を介して通信しそのデジタルカメラ１から画像を受け取って管理する画像管理サーバを実現するパーソナルコンピュータ２００とを備えた画像管理システム１０００において、デジタルカメラ１が、パーソナルコンピュータ２００に向けて、画像を送信するとともに画像との対応づけ情報を伴って音声を送信するものであり、また、パーソナルコンピュータ２００が、受信した画像を保管するとともに、受信した音声を認識してテキストに変換して、そのテキストに基づいて画像に付加される付加情報を生成し、その付加情報を、その付加情報生成の基になった音声に対応づけられた画像に対応づけて保管する。【選択図】  図１
2008085582.tif 000002
【特許請求の範囲】
【請求項１】
撮像素子上に被写体を結像させて画像を生成する撮影装置と、前記撮影装置と通信し該撮影装置から画像を受け取って管理する画像管理サーバとを備えた画像管理システムにおいて、
前記撮影装置が、
音声を取得する音声取得手段と、
前記音声取得手段で取得される音声を画像に対応づける対応づけ手段と、
前記画像管理サーバに向けて画像を送信するとともに、該画像管理サーバに向けて、前記音声取得手段で取得された音声を、前記対応づけ手段で対応づけられた画像との対応づけ情報を伴って送信する送信手段とを備え、
前記画像管理サーバは、
前記撮影装置から送信されてきた画像を受信するとともに該撮影装置から送信されてきた音声を受信する受信手段と、
前記受信手段で受信した画像を保管する保管手段と、
前記受信手段で受信した音声を認識してテキストに変換する音声認識手段と、
前記音声認識手段で音声が認識されてなるテキストに基づいて、画像に付加される付加情報を生成する付加情報生成手段とを備え、
前記保管手段が、画像を保管するとともに、前記付加情報生成手段で生成された付加情報を、該付加情報生成の基になった音声に対応づけられた画像に対応づけて保管するものであることを特徴とする画像管理システム。
【請求項２】
前記撮影装置は、前記音声取得手段で取得した音声を格納した音声ファイルを作成する音声ファイル作成手段を備え、
前記送信手段は、前記画像管理サーバに向けて音声を送信するにあたり、前記音声ファイル作成手段で作成された音声ファイルを送信するものであることを特徴とする請求項１記載の画像管理システム。
【請求項３】
前記送信手段は、前記画像管理サーバに向けて音声を送信するにあたり、前記音声取得手段で取得した音声をそのまま送信するものであり、
前記画像管理サーバが、前記受信手段で受信した音声を格納した音声ファイルを作成する音声ファイル作成手段を備えたものであることを特徴とする請求項１記載の画像管理システム。
【請求項４】
前記撮影装置が、
当該撮影装置の地理上の位置情報を取得する位置情報取得手段と、
日時情報を取得する日時情報取得手段と、
当該撮影装置のユーザのスケジュール情報を取得するスケジュール情報取得手段とを備え、
前記送信手段が、前記画像管理サーバに向けて、さらに、前記位置情報取得手段、前記日時情報取得手段、および前記スケジュール情報取得手段によりそれぞれ取得された位置情報、日時情報、およびスケジュール情報を送信するものであり、
前記受信手段は、さらに、前記撮影装置から送信されてきた位置情報、日時情報、およびスケジュール情報を受信するものであり、
前記付加情報生成手段は、前記音声認識手段で音声が認識されてなるテキストに基づくとともに、前記受信手段で受信した位置情報、日時情報、およびスケジュール情報にも基づいて付加情報を生成するものであることを特徴とする請求項１記載の画像管理システム。
【請求項５】
前記画像管理サーバが、さらに、地図を管理する地図データベースを備え、
前記付加情報生成手段が、さらに、前記地図データベース内の地図にも基づいて付加情報を生成するものであることを特徴とする請求項４記載の画像管理システム。
【請求項６】
前記画像管理サーバが、前記受信手段で受信した画像から該画像上に写った顔を認識する顔認識手段を備え、
前記付加情報生成手段が、前記音声認識手段で音声が認識されてなるテキストに基づくとともに、前記顔認識手段で認識された、画像上の顔にも基づいて付加情報を生成するものであることを特徴とする請求項１記載の画像管理システム。
【請求項７】
前記画像管理サーバが、さらに顔情報を管理する顔情報データベースを備え、
前記付加情報生成手段が、さらに前記顔情報データベース内の顔情報にも基づいて付加情報を生成するものであることを特徴とする請求項６記載の画像管理システム。
【請求項８】
前記音声認識手段で音声が認識されてなるテキストと前記顔認識手段で認識された画像上の顔とに基づいて新たな顔情報を生成して前記顔情報データベースに追加する顔情報追加手段を備えたことを特徴とする請求項７記載の画像管理システム。
【請求項９】
前記付加情報生成手段が、前記音声認識手段で音声が認識されてなるテキストに基づいて付加情報生成に関するコマンドを認識するコマンド認識手段を含み、該コマンド認識手段で認識したコマンドに従って付加情報を生成するものであることを特徴とする請求項１記載の画像管理システム。
【請求項１０】
撮像素子上に被写体を結像させて画像を生成し、画像を受け取って管理する画像管理サーバと通信して該画像管理サーバに画像を送信する撮影装置において、
音声を取得する音声取得手段と、
前記音声取得手段で取得される音声を画像に対応づける対応づけ手段と、
前記画像管理サーバに向けて画像を送信するとともに、該画像管理サーバに向けて、前記音声取得手段で取得された音声を、前記対応づけ手段で対応づけられた画像との対応づけ情報を伴って送信する送信手段とを備えたことを特徴とする撮影装置。
【請求項１１】
前記音声取得手段で取得した音声を格納した音声ファイルを作成する音声ファイル作成手段を備え、
前記送信手段は、前記画像管理サーバに向けて音声を送信するにあたり、前記音声ファイル作成手段で作成された音声ファイルを送信するものであることを特徴とする請求項１０記載の撮影装置。
【請求項１２】
前記送信手段は、前記画像管理サーバに向けて音声を送信するにあたり、前記音声取得手段で取得した音声をそのまま送信するものであることを特徴とする請求項１０記載の撮影装置。
【請求項１３】
当該撮影装置の地理上の位置情報を取得する位置情報取得手段と、
日時情報を取得する日時情報取得手段と、
当該撮影装置のユーザのスケジュール情報を取得するスケジュール情報取得手段とを備え、
前記送信手段が、前記画像管理サーバに向けて、さらに、前記位置情報取得手段、前記日時情報取得手段、および前記スケジュール情報取得手段によりそれぞれ取得された位置情報、日時情報、およびスケジュール情報を送信するものであることを特徴とする請求項１０記載の撮影装置。
【請求項１４】
撮像素子上に被写体を結像させて画像を生成する撮影装置と通信し該撮影装置から画像を受け取って管理する画像管理サーバにおいて、
前記撮影装置から送信されてきた画像を受信するとともに該撮影装置から送信されてきた音声を受信する受信手段と、
前記受信手段で受信した画像を保管する保管手段と、
前記受信手段で受信した音声を認識してテキストに変換する音声認識手段と、
前記音声認識手段で音声が認識されてなるテキストに基づいて、画像に付加される付加情報を生成する付加情報生成手段とを備え、
前記保管手段が、画像を保管するとともに、前記付加情報生成手段で生成された付加情報を、該付加情報生成の基になった音声に対応づけられた画像に対応づけて保管するものであることを特徴とする画像管理サーバ。
【請求項１５】
前記受信手段は、音声の受信にあたり、前記撮影装置で作成されて該撮影装置から送信されてきた音声ファイルを受信するものであることを特徴とする請求項１４記載の画像管理サーバ。
【請求項１６】
前記受信手段は、音声の受信にあたり、前記撮影装置で取得されてそのまま送信されてきた音声を受信するものであり、
当該画像管理サーバが、前記受信手段で受信した音声を格納した音声ファイルを作成する音声ファイル作成手段を備えたものであることを特徴とする請求項１４記載の画像管理サーバ。
【請求項１７】
前記受信手段は、さらに、前記撮影装置から送信されてきた位置情報、日時情報、およびスケジュール情報を受信するものであり、
前記付加情報生成手段は、前記音声認識手段で音声が認識されてなるテキストに基づくとともに、前記受信手段で受信した位置情報、日時情報、およびスケジュール情報にも基づいて付加情報を生成するものであることを特徴とする請求項１４記載の画像管理サーバ。
【請求項１８】
さらに、地図を管理する地図データベースを備え、
前記付加情報生成手段が、さらに、前記地図データベース内の地図にも基づいて付加情報を生成するものであることを特徴とする請求項１４記載の画像管理サーバ。
【請求項１９】
前記受信手段で受信した画像から該画像上に写った顔を認識する顔認識手段を備え、
前記付加情報生成手段が、前記音声認識手段で音声が認識されてなるテキストに基づくとともに、前記顔認識手段で認識された、画像上の顔にも基づいて付加情報を生成するものであることを特徴とする請求項１４記載の画像管理サーバ。
【請求項２０】
顔情報を管理する顔情報データベースを備え、
前記付加情報生成手段が、さらに前記顔情報データベース内の顔情報にも基づいて付加情報を生成するものであることを特徴とする請求項１９記載の画像管理サーバ。
【請求項２１】
前記音声認識手段で音声が認識されてなるテキストと前記顔認識手段で認識された画像上の顔とに基づいて新たな顔情報を生成して前記顔情報データベースに追加する顔情報追加手段を備えたことを特徴とする請求項２０記載の画像管理サーバ。
【請求項２２】
前記付加情報生成手段が、前記音声認識手段で音声が認識されてなるテキストに基づいて付加情報生成に関するコマンドを認識するコマンド認識手段を含み、該コマンド認識手段で認識したコマンドに従って付加情報を生成するものであることを特徴とする請求項１４記載の画像管理サーバ。
【請求項２３】
撮像素子上に被写体を結像させて画像を生成する撮影装置と通信し該撮影装置から画像を受け取って管理する画像管理サーバにおける画像管理方法において、
前記撮影装置から送信されてきた画像を受信するとともに該撮影装置から送信されてきた音声を受信する受信ステップと、
前記受信ステップで受信した画像を保管する保管ステップと、
前記受信ステップで受信した音声を認識してテキストに変換する音声認識ステップと、
前記音声認識ステップで音声が認識されてなるテキストに基づいて、画像に付加される付加情報を生成する付加情報生成ステップとを有し、
前記保管ステップが、画像を保管するとともに、前記付加情報生成ステップで生成された付加情報を、該付加情報生成の基になった音声に対応づけられた画像に対応づけて保管するステップであることを特徴とする画像管理方法。
【請求項２４】
前記受信ステップは、音声の受信にあたり、前記撮影装置で作成されて該撮影装置から送信されてきた音声ファイルを受信するステップであることを特徴とする請求項２３記載の画像管理方法。
【請求項２５】
前記受信ステップは、音声の受信にあたり、前記撮影装置で取得されてそのまま送信されてきた音声を受信するステップであり、さらに、前記受信ステップで受信した音声を格納した音声ファイルを作成する音声ファイル作成ステップを有することを特徴とする請求項２３記載の画像管理方法。
【請求項２６】
前記受信ステップは、さらに、前記撮影装置から送信されてきた位置情報、日時情報、およびスケジュール情報を受信するものであり、
前記付加情報生成ステップは、前記音声認識ステップで音声が認識されてなるテキストに基づくとともに、前記受信ステップで受信した位置情報、日時情報、およびスケジュール情報にも基づいて付加情報を生成するステップであることを特徴とする請求項２３記載の画像管理方法。
【請求項２７】
前記画像管理サーバが、地図を管理する地図データベースを備えたものであって、
前記付加情報生成ステップが、さらに、前記地図データベース内の地図にも基づいて付加情報を生成するステップであることを特徴とする請求項２６記載の画像管理方法。
【請求項２８】
前記受信ステップで受信した画像から該画像上に写った顔を認識する顔認識ステップを有し、
前記付加情報生成ステップが、前記音声認識ステップで音声が認識されてなるテキストに基づくとともに、前記顔認識ステップで認識された、画像上の顔にも基づいて付加情報を生成するステップであることを特徴とする請求項２３記載の画像管理方法。
【請求項２９】
前記画像管理サーバが、さらに顔情報を管理する顔情報データベースを備え、
前記付加情報生成ステップが、さらに前記顔情報データベース内の顔情報にも基づいて付加情報を生成するステップであることを特徴とする請求項２８記載の画像管理方法。
【請求項３０】
前記音声認識ステップで音声が認識されてなるテキストと前記顔認識ステップで認識された画像上の顔とに基づいて新たな顔情報を生成して前記顔情報データベースに追加する顔情報追加ステップを有することを特徴とする請求項２９記載の画像管理方法。
【請求項３１】
前記付加情報生成ステップが、前記音声認識ステップで音声が認識されてなるテキストに基づいて、付加情報生成に関するコマンドを認識するコマンド認識ステップを含み、該コマンド認識ステップで認識したコマンドに従って付加情報を生成するステップであることを特徴とする請求項２３記載の画像管理方法。
【発明の詳細な説明】
【技術分野】
【０００１】
本発明は、撮像素子上に被写体を結像させて画像を生成する撮影装置とその撮影装置から画像を受け取って管理する画像管理サーバとを備えた画像管理システム、その撮影装置、その画像管理サーバ、およびその画像管理サーバにおける画像管理方法に関する。
【背景技術】
【０００２】
ＵＳＢ（Ｕｎｉｖｅｒｓａｌ  Ｓｅｒｉａｌ  Ｂｕｓ）規格に代表される有線通信技術や、ブルートゥース規格に準拠した電波通信やＩｒＤＡ（Ｉｎｆｒａｒｅｄ  Ｄａｔａ  Ａｓｓｏｃｉａｔｉｏｎ）に準拠した赤外線通信等の無線通信技術の進歩に伴い、画像等を表わす大容量データを高速に伝送することが可能となってきている。その結果、例えばデジタルカメラで撮影して得られた大量の画像データを、画像を管理する画像管理サーバに任意のタイミングで高速に転送することにより、そのデジタルカメラが有する記憶容量に制約されることなく、所望の枚数だけ写真撮影を行なうことができる。
【０００３】
一般に、デジタルカメラで撮影して得られた画像データには、日付情報や撮影情報等の付加情報が含まれており、画像管理サーバでは、これらの付加情報とリンクさせて画像データを保存するということが行なわれている。
【０００４】
例えば、デジタルカメラで撮影して得られた画像データを通信回線経由で受信して保存する画像保存システムであって、テキストデータに変換された音声データといった付加情報に基づいてディレクトリを作成し、ＧＰＳ（Ｇｌｏｂａｌ  Ｐｏｓｉｔｉｏｎｉｎｇ  Ｓｙｓｔｅｍ）情報や撮影日時情報に基づいたファイル名を生成して画像データを保存するシステムが提案されている（特許文献１参照）。
【０００５】
また、画像に付随する日時，位置情報，露光情報等の属性情報と、予め登録されているユーザ・プロファイル情報，地図情報，季節行事の情報，イベント情報等から、画像データのコンテキストを推定し、推定した結果に基づいて画像データの分類や検索等を行なうことができる画像管理システムが提案されている（特許文献２参照）。
【０００６】
さらに、外部から受信した個人情報に基づいて、撮影画像の付加データである被写体人物に関する情報を作成したり更新したりする装置および方法が提案されている（特許文献３参照）。
【０００７】
また、画像内の人物を識別して、その人物の名前を画像ファイルの付加データに追加するデジタルカメラおよび方法が提案されている（特許文献４参照）。
【特許文献１】特開２００５−２０３９９４号公報
【特許文献２】特開２００２−１０１７８号公報
【特許文献３】特開２００４−１３３５３６号公報
【特許文献４】特開２００４−６２８６８号公報
【発明の開示】
【発明が解決しようとする課題】
【０００８】
近年、通信技術の益々の進歩に伴い、デジタルカメラ等の撮影装置で撮影して得られた大量の画像データを任意のタイミングで画像管理サーバに転送し、その画像管理サーバで画像を一括管理するという傾向が強まりつつある。ここで、画像管理サーバでは、画像に付加される付加情報に基づいて画像を一括管理するということが行なわれる。このため、画像に付加される付加情報を効率よく且つ精度よく生成することが重要である。
【０００９】
しかし、上述した特許文献１に提案された技術では、テキストデータに変換された音声データといった付加情報を生成するにあたり、話者の音声の変換を撮影装置側で行なう必要がある。ここで、音声の変換を行なうための音声認識処理における負荷は大きく、このためリソース（記憶容量等）が限られた撮影装置側で音声の変換を行なうのでは、撮影装置側の負担が大きいという問題がある。
【００１０】
また、特許文献２に提案された技術では、コンテキストを推定するための推論エンジンに対してカメラユーザがコマンドや推論のための追加情報を入力することは困難であり、コンテキストの候補が複数ある場合、推論エンジンの推論精度が低下する恐れがあるという問題を抱えている。
【００１１】
さらに、特許文献３に提案された技術では、被写体人物に関する情報を生成するためには、別途個人情報を作成して装置に受信させる必要があり、従って手間がかかるという問題がある。
【００１２】
また、特許文献４に提案された技術では、カメラ内部で人物の識別を行なってその人物に関する情報を生成するため、カメラ内部に設けられたメモリ容量の多くを使用する必要があり、従ってカメラ内に画像データを十分に格納することが困難であるという問題がある。
【００１３】
本発明は、上記事情に鑑み、画像に付加する付加情報を簡便に生成することができる画像管理システム、撮影装置、画像管理サーバ、および画像管理方法を提供することを目的とする。
【課題を解決するための手段】
【００１４】
上記目的を達成する本発明の画像管理システムは、撮像素子上に被写体を結像させて画像を生成する撮影装置と、上記撮影装置と通信し該撮影装置から画像を受け取って管理する画像管理サーバとを備えた画像管理システムにおいて、
上記撮影装置が、
音声を取得する音声取得手段と、
上記音声取得手段で取得される音声を画像に対応づける対応づけ手段と、
上記画像管理サーバに向けて画像を送信するとともに、その画像管理サーバに向けて、上記音声取得手段で取得された音声を、上記対応づけ手段で対応づけられた画像との対応づけ情報を伴って送信する送信手段とを備え、
上記画像管理サーバは、
上記撮影装置から送信されてきた画像を受信するとともにその撮影装置から送信されてきた音声を受信する受信手段と、
上記受信手段で受信した画像を保管する保管手段と、
上記受信手段で受信した音声を認識してテキストに変換する音声認識手段と、
上記音声認識手段で音声が認識されてなるテキストに基づいて、画像に付加される付加情報を生成する付加情報生成手段とを備え、
上記保管手段が、画像を保管するとともに、上記付加情報生成手段で生成された付加情報を、その付加情報生成の基になった音声に対応づけられた画像に対応づけて保管するものであることを特徴とする。
【００１５】
本発明の画像管理システムでは、撮影装置が、画像管理サーバに向けて、画像を送信するとともに画像との対応づけ情報を伴って音声を送信するものであり、また、画像管理サーバが、受信した画像を保管するとともに、受信した音声を認識してテキストに変換して、そのテキストに基づいて画像に付加される付加情報を生成し、その付加情報を、その付加情報生成の基になった音声に対応づけられた画像に対応づけて保管するものである。このため、画像管理サーバで、音声認識処理が行なわれて画像に付加される付加情報が生成される。従って、撮影装置で音声認識処理を行なう必要はなく、撮影装置の処理の負担を軽減したまま、画像に付加される付加情報を音声で簡便に生成することができる。
【００１６】
ここで、本発明の画像管理システムにおける上記撮影装置は、上記音声取得手段で取得した音声を格納した音声ファイルを作成する音声ファイル作成手段を備え、
上記送信手段は、上記画像管理サーバに向けて音声を送信するにあたり、上記音声ファイル作成手段で作成された音声ファイルを送信するものであることが好ましい。
【００１７】
撮影装置が、画像管理サーバに向けて音声を送信するにあたり、音声を格納した音声ファイルを作成して送信すると、画像管理サーバでは、その音声ファイルに基づいて音声を認識して画像に付加される付加情報を生成するため、画像に付加される付加情報を音声でさらに簡便に生成することができる。
【００１８】
また、本発明の画像管理システムにおける上記送信手段は、上記画像管理サーバに向けて音声を送信するにあたり、上記音声取得手段で取得した音声をそのまま送信するものであり、
上記画像管理サーバが、上記受信手段で受信した音声を格納した音声ファイルを作成する音声ファイル作成手段を備えたものであることも好ましい態様である。
【００１９】
このようにすると、撮影装置側の処理の負担をさらに軽減することができる。
【００２０】
さらに、本発明の画像管理システムにおける上記撮影装置が、
当該撮影装置の地理上の位置情報を取得する位置情報取得手段と、
日時情報を取得する日時情報取得手段と、
当該撮影装置のユーザのスケジュール情報を取得するスケジュール情報取得手段とを備え、
上記送信手段が、上記画像管理サーバに向けて、さらに、上記位置情報取得手段、上記日時情報取得手段、および上記スケジュール情報取得手段によりそれぞれ取得された位置情報、日時情報、およびスケジュール情報を送信するものであり、
上記受信手段は、さらに、上記撮影装置から送信されてきた位置情報、日時情報、およびスケジュール情報を受信するものであり、
上記付加情報生成手段は、上記音声認識手段で音声が認識されてなるテキストに基づくとともに、上記受信手段で受信した位置情報、日時情報、およびスケジュール情報にも基づいて付加情報を生成するものであることも好ましい。
【００２１】
このようにすると、画像管理サーバに、撮影装置の地理上の位置情報、日時情報、およびユーザのスケジュール情報を提供することができ、従って画像管理サーバでは画像に付加する付加情報を音声で簡便に生成することができるとともに、その画像に付加する位置情報、日時情報、およびスケジュール情報をも簡便に生成することができる。
【００２２】
また、本発明の画像管理システムにおける上記画像管理サーバが、さらに、地図を管理する地図データベースを備え、
上記付加情報生成手段が、さらに、上記地図データベース内の地図にも基づいて付加情報を生成するものであることも好ましい態様である。
【００２３】
このようにすると、画像管理サーバは、画像に付加する付加情報を音声で簡便に生成することができるとともに、その画像に付加する地図情報をも簡便に生成することができる。
【００２４】
さらに、本発明の画像管理システムにおける上記画像管理サーバが、上記受信手段で受信した画像から該画像上に写った顔を認識する顔認識手段を備え、
上記付加情報生成手段が、上記音声認識手段で音声が認識されてなるテキストに基づくとともに、上記顔認識手段で認識された、画像上の顔にも基づいて付加情報を生成するものであることも好ましい。
【００２５】
このように、音声が認識されてなるテキストに基づくとともに、画像上の顔にも基づいて付加情報を生成すると、音声で被写体人物情報を付加情報とすることができる。
【００２６】
また、本発明の画像管理システムにおける上記画像管理サーバが、さらに顔情報を管理する顔情報データベースを備え、
上記付加情報生成手段が、さらに上記顔情報データベース内の顔情報にも基づいて付加情報を生成するものであることも好ましい態様である。
【００２７】
このように、顔情報を管理する顔情報データベース内の顔情報にも基づいて付加情報を生成すると、画像上の顔に基づいて付加情報を生成するための処理を迅速に行なうことができる。
【００２８】
さらに、本発明の画像管理システムにおける上記音声認識手段で音声が認識されてなるテキストと上記顔認識手段で認識された画像上の顔とに基づいて新たな顔情報を生成して上記顔情報データベースに追加する顔情報追加手段を備えたことも好ましい。
【００２９】
このように、画像管理サーバにおいて、音声が認識されてなるテキストと認識された画像上の顔とに基づいて新たな顔情報を生成して顔情報データベースに追加すると、画像上の被写体人物の顔情報を顔情報データベースに登録することができる。
【００３０】
また、本発明の画像管理システムにおける上記付加情報生成手段が、上記音声認識手段で音声が認識されてなるテキストに基づいて付加情報生成に関するコマンドを認識するコマンド認識手段を含み、そのコマンド認識手段で認識したコマンドに従って付加情報を生成するものであることも好ましい態様である。
【００３１】
このようにすると、ユーザは付加情報生成手段に対して指示を与えることができる。
【００３２】
また、上記目的を達成する本発明の撮影装置は、撮像素子上に被写体を結像させて画像を生成し、画像を受け取って管理する画像管理サーバと通信してその画像管理サーバに画像を送信する撮影装置において、
音声を取得する音声取得手段と、
上記音声取得手段で取得される音声を画像に対応づける対応づけ手段と、
上記画像管理サーバに向けて画像を送信するとともに、その画像管理サーバに向けて、上記音声取得手段で取得された音声を、上記対応づけ手段で対応づけられた画像との対応づけ情報を伴って送信する送信手段とを備えたことを特徴とする。
【００３３】
本発明の撮影装置は、画像管理サーバに向けて、画像を送信するとともに画像との対応づけ情報を伴って音声を送信するものである。このため、画像管理サーバで、音声認識処理が行なわれて画像に付加される付加情報が生成される。従って、撮影装置で音声認識処理を行なう必要はなく、撮影装置の処理の負担が軽減される。また、画像管理サーバでは、画像に付加される付加情報を音声で簡便に生成することができる。
【００３４】
ここで、本発明の撮影装置において、上記音声取得手段で取得した音声を格納した音声ファイルを作成する音声ファイル作成手段を備え、
上記送信手段は、上記画像管理サーバに向けて音声を送信するにあたり、上記音声ファイル作成手段で作成された音声ファイルを送信するものであることが好ましい。
【００３５】
このようにすると、画像管理サーバ側では、音声ファイルに基づいて音声を認識して画像に付加される付加情報を生成するため、画像に付加される付加情報を音声でさらに簡便に生成することができる。
【００３６】
また、本発明の撮影装置における上記送信手段は、上記画像管理サーバに向けて音声を送信するにあたり、上記音声取得手段で取得した音声をそのまま送信するものであることも好ましい態様である。
【００３７】
このようにすると、撮影装置の処理の負担をさらに軽減することができる。
【００３８】
さらに、本発明の撮影装置において、当該撮影装置の地理上の位置情報を取得する位置情報取得手段と、日時情報を取得する日時情報取得手段と、当該撮影装置のユーザのスケジュール情報を取得するスケジュール情報取得手段とを備え、
上記送信手段が、上記画像管理サーバに向けて、さらに、上記位置情報取得手段、上記日時情報取得手段、および上記スケジュール情報取得手段によりそれぞれ取得された位置情報、日時情報、およびスケジュール情報を送信するものであることも好ましい。
【００３９】
このようにすると、画像管理サーバに、撮影装置の地理上の位置情報、日時情報、およびユーザのスケジュール情報を提供することができ、その画像管理サーバではこれら位置情報、日時情報、およびスケジュール情報にも基づいて付加情報を生成することができる。
【００４０】
さらに、上記目的を達成する本発明の画像管理サーバは、撮像素子上に被写体を結像させて画像を生成する撮影装置と通信し該撮影装置から画像を受け取って管理する画像管理サーバにおいて、
上記撮影装置から送信されてきた画像を受信するとともにその撮影装置から送信されてきた音声を受信する受信手段と、
上記受信手段で受信した画像を保管する保管手段と、
上記受信手段で受信した音声を認識してテキストに変換する音声認識手段と、
上記音声認識手段で音声が認識されてなるテキストに基づいて、画像に付加される付加情報を生成する付加情報生成手段とを備え、
上記保管手段が、画像を保管するとともに、上記付加情報生成手段で生成された付加情報を、その付加情報生成の基になった音声に対応づけられた画像に対応づけて保管するものであることを特徴とする。
【００４１】
本発明の画像管理サーバは、受信した画像を保管するとともに、受信した音声を認識してテキストに変換して、そのテキストに基づいて画像に付加される付加情報を生成し、その付加情報を、その付加情報生成の基になった音声に対応づけられた画像に対応づけて保管するものである。このため、この画像管理サーバにおいて音声認識処理が行なわれて画像に付加される付加情報が生成される。従って、撮影装置で音声認識処理を行なう必要はなく、撮影装置の処理の負担を軽減したまま、画像に付加される付加情報を音声で簡便に生成することができる。
【００４２】
ここで、本発明の画像管理サーバにおける上記受信手段は、音声の受信にあたり、上記撮影装置で作成されてその撮影装置から送信されてきた音声ファイルを受信するものであることが好ましい。
【００４３】
このようにすると、画像管理サーバでは、その音声ファイルに基づいて音声を認識して画像に付加される付加情報を生成することができ、従って画像に付加される付加情報を音声でさらに簡便に生成することができる。
【００４４】
また、本発明の画像管理サーバにおける上記受信手段は、音声の受信にあたり、上記撮影装置で取得されてそのまま送信されてきた音声を受信するものであり、
当該画像管理サーバが、上記受信手段で受信した音声を格納した音声ファイルを作成する音声ファイル作成手段を備えたものであることも好ましい態様である。
【００４５】
このようにすると、撮影装置側の処理の負担をさらに軽減することができる。
【００４６】
さらに、本発明の画像管理サーバにおける上記受信手段は、さらに、上記撮影装置から送信されてきた位置情報、日時情報、およびスケジュール情報を受信するものであり、
上記付加情報生成手段は、上記音声認識手段で音声が認識されてなるテキストに基づくとともに、上記受信手段で受信した位置情報、日時情報、およびスケジュール情報にも基づいて付加情報を生成するものであることも好ましい。
【００４７】
このようにすると、画像に付加する付加情報を音声で簡便に生成することができるとともに、その画像に付加する位置情報、日時情報、およびスケジュール情報をも簡便に生成することができる。
【００４８】
さらに、本発明の画像管理サーバにおいて地図を管理する地図データベースを備え、
上記付加情報生成手段が、さらに、上記地図データベース内の地図にも基づいて付加情報を生成するものであることも好ましい態様である。
【００４９】
このようにすると、画像管理サーバは、画像に付加する付加情報を音声で簡便に生成することができるとともに、その画像に付加する地図情報をも簡便に生成することができる。
【００５０】
また、本発明の画像管理サーバにおける上記受信手段で受信した画像からその画像上に写った顔を認識する顔認識手段を備え、
上記付加情報生成手段が、上記音声認識手段で音声が認識されてなるテキストに基づくとともに、上記顔認識手段で認識された、画像上の顔にも基づいて付加情報を生成するものであることも好ましい。
【００５１】
このようにすると、音声で被写体人物情報を付加情報とすることができる。
【００５２】
さらに、本発明の画像管理サーバにおいて顔情報を管理する顔情報データベースを備え、
上記付加情報生成手段が、さらに上記顔情報データベース内の顔情報にも基づいて付加情報を生成するものであることも好ましい態様である。
【００５３】
このようにすると、画像上の顔に基づいて付加情報を生成するための処理を迅速に行なうことができる。
【００５４】
また、本発明の画像管理サーバにおける上記音声認識手段で音声が認識されてなるテキストと上記顔認識手段で認識された画像上の顔とに基づいて新たな顔情報を生成して上記顔情報データベースに追加する顔情報追加手段を備えたことも好ましい。
【００５５】
このようにすると、画像上の被写体人物の顔情報を顔情報データベースに登録することができる。
【００５６】
さらに、本発明の画像管理サーバにおける上記付加情報生成手段が、上記音声認識手段で音声が認識されてなるテキストに基づいて付加情報生成に関するコマンドを認識するコマンド認識手段を含み、そのコマンド認識手段で認識したコマンドに従って付加情報を生成するものであることも好ましい態様である。
【００５７】
このようにすると、ユーザは付加情報生成手段に対して指示を与えることができる。
【００５８】
さらに、上記目的を達成する本発明の画像管理方法は、撮像素子上に被写体を結像させて画像を生成する撮影装置と通信しその撮影装置から画像を受け取って管理する画像管理サーバにおける画像管理方法において、
上記撮影装置から送信されてきた画像を受信するとともにその撮影装置から送信されてきた音声を受信する受信ステップと、
上記受信ステップで受信した画像を保管する保管ステップと、
上記受信ステップで受信した音声を認識してテキストに変換する音声認識ステップと、
上記音声認識ステップで音声が認識されてなるテキストに基づいて、画像に付加される付加情報を生成する付加情報生成ステップとを有し、
上記保管ステップが、画像を保管するとともに、上記付加情報生成ステップで生成された付加情報を、その付加情報生成の基になった音声に対応づけられた画像に対応づけて保管するステップであることを特徴とする。
【００５９】
本発明の画像管理方法は、上記本発明の画像管理サーバにおける画像管理方法であるため、この画像管理サーバにおいて音声認識処理を行なって画像に付加される付加情報を生成することができる。従って、撮影装置で音声認識処理を行なう必要はなく、撮影装置の処理の負担を軽減したまま、画像に付加される付加情報を音声で簡便に生成することができる。
【００６０】
ここで、本発明の画像管理方法における上記受信ステップは、音声の受信にあたり、上記撮影装置で作成されて該撮影装置から送信されてきた音声ファイルを受信するステップであることが好ましい。
【００６１】
このようなステップであると、画像管理サーバでは、その音声ファイルに基づいて音声を認識して画像に付加される付加情報を生成するため、画像に付加される付加情報を音声でさらに簡便に生成することができる。
【００６２】
また、本発明の画像管理方法における上記受信ステップは、音声の受信にあたり、上記撮影装置で取得されてそのまま送信されてきた音声を受信するステップであり、さらに、上記受信ステップで受信した音声を格納した音声ファイルを作成する音声ファイル作成ステップを有することも好ましい態様である。
【００６３】
このようなステップであると、撮影装置側の処理の負担をさらに軽減することができる。
【００６４】
さらに、本発明の画像管理方法における上記受信ステップは、さらに、上記撮影装置から送信されてきた位置情報、日時情報、およびスケジュール情報を受信するものであり、
上記付加情報生成ステップは、上記音声認識ステップで音声が認識されてなるテキストに基づくとともに、上記受信ステップで受信した位置情報、日時情報、およびスケジュール情報にも基づいて付加情報を生成するステップであることも好ましい。
【００６５】
このようなステップであると、画像管理サーバでは画像に付加する付加情報を音声で簡便に生成することができるとともに、その画像に付加する位置情報、日時情報、およびスケジュール情報をも簡便に生成することができる。
【００６６】
また、本発明の画像管理方法において、上記画像管理サーバが、地図を管理する地図データベースを備えたものであって、
上記付加情報生成ステップが、さらに、上記地図データベース内の地図にも基づいて付加情報を生成するステップであることも好ましい態様である。
【００６７】
このようなステップであると、画像管理サーバは、画像に付加する付加情報を音声で簡便に生成することができるとともに、その画像に付加する地図情報をも簡便に生成することができる。
【００６８】
さらに、本発明の画像管理方法における上記受信ステップで受信した画像から該画像上に写った顔を認識する顔認識ステップを有し、
上記付加情報生成ステップが、上記音声認識ステップで音声が認識されてなるテキストに基づくとともに、上記顔認識ステップで認識された、画像上の顔にも基づいて付加情報を生成するステップであることも好ましい態様である。
【００６９】
このようなステップであると、音声で被写体人物情報を付加情報とすることができる。
【００７０】
また、本発明の画像管理方法において、上記画像管理サーバが、さらに顔情報を管理する顔情報データベースを備え、
上記付加情報生成ステップが、さらに上記顔情報データベース内の顔情報にも基づいて付加情報を生成するステップであることも好ましい。
【００７１】
このようなものであると、画像上の顔に基づいて付加情報を生成するための処理を迅速に行なうことができる。
【００７２】
さらに、本発明の画像管理方法における上記音声認識ステップで音声が認識されてなるテキストと上記顔認識ステップで認識された画像上の顔とに基づいて新たな顔情報を生成して上記顔情報データベースに追加する顔情報追加ステップを有することも好ましい態様である。
【００７３】
このようなステップを有すると、画像上の被写体人物の顔情報を顔情報データベースに登録することができる。
【００７４】
また、本発明の画像管理方法における上記付加情報生成ステップが、上記音声認識ステップで音声が認識されてなるテキストに基づいて、付加情報生成に関するコマンドを認識するコマンド認識ステップを含み、そのコマンド認識ステップで認識したコマンドに従って付加情報を生成するステップであることも好ましい。
【００７５】
このようなステップであると、ユーザは付加情報生成手段に対して指示を与えることができる。
【発明の効果】
【００７６】
本発明によれば、画像に付加する付加情報を簡便に生成することができる画像管理システム、撮影装置、画像管理サーバ、および画像管理方法を提供することができる。
【発明を実施するための最良の形態】
【００７７】
以下、本発明の実施の形態について説明する。
【００７８】
図１は、本発明の第１実施形態の画像管理システムを示す図である。
【００７９】
図１に示す画像管理システム１０００には、撮像素子上に被写体を結像させて画像を生成するデジタルカメラ１（本発明の撮影装置の第１実施形態に相当）と、このデジタルカメラ１と通信しそのデジタルカメラ１から画像を受け取って管理することにより本発明の画像管理サーバの第１実施形態を実現するためのパーソナルコンピュータ２００とが備えられている。
【００８０】
デジタルカメラ１の詳細については後述するが、このデジタルカメラ１には、ＵＳＢケーブル３０のＵＳＢコネクタ３１が接続されるＵＳＢ接続部１７０が備えられている。
【００８１】
また、図１には、ＵＳＢケーブル３０のＵＳＢコネクタ３２と接続されるＵＳＢ接続部２１４を有し、その接続部２１４へのデジタルカメラ１の、ＵＳＢコネクタ３２による接続を受け、さらに所定の操作によりデジタルカメラ１から画像データを取り込むパーソナルコンピュータ２００が示されている。このパーソナルコンピュータ２００は、本体部２１０と、表示画面２２０ａを備えた画像表示装置２２０と、キーボード２３０と、マウス２４０とを有する。本体部２１０には、詳細は後述するが、ＣＰＵ（中央処理装置）、主メモリ（ランダムアクセスメモリ）、ハードディスク、通信Ｉ／Ｆ等が内蔵されている。また、この本体部２１０は、ＣＤ−ＲＯＭが装填されるＣＤ−ＲＯＭ装填口２１１と、フレキシブルディスクが装填されるフレキシブルディスク装填口２１２を有しており、それらの内部には、それらの装填口２１１，２１２から装填されたＣＤ−ＲＯＭやフレキシブルディスクをドライブしてアクセスするＣＤ−ＲＯＭドライブやフレキシブルディスクドライブが内蔵されている。さらに、この本体部２１０は、電源スイッチ２１３を有する。
【００８２】
図２は、図１に示すデジタルカメラを上方から見た上面図（図２（ａ））、正面から見た正面図（図２（ｂ））、および背面から見た背面図（図２（ｃ））である。
【００８３】
このデジタルカメラ１は、図２（ａ），図２（ｂ）に示すようにカメラボディ１ａの中央にレンズ鏡胴１０が配備されている。また、このカメラボディ１ａの上面にはパワーボタン１１が配備されており、このパワーボタン１１が操作されたら、図２（ａ），図２（ｂ）に示すようにレンズ鏡胴１０が繰出されて撮影準備が整えられるようになっている。
【００８４】
さらに、カメラボディ１ａ上面には、電源投入用のパワーボタン１１のほか、レリーズボタン１２とそのレリーズボタン１２の廻りに撮影モードダイヤル１２＿１とが配備されており、この撮影モードダイヤル１２＿１がＡＵＴＯに切り替えられているときにレリーズボタン１２が押されて撮影が行なわれるときにはデジタルカメラ１内部に自動的に撮影条件が設定されて撮影が行なわれる。また、この撮影モードダイヤル１２＿１が動画撮影モード（符号Ｍ）に切り替えられると、動画撮影が行なわれるようになり、シーンポジション（符号ＳＰ）側に切り替えられると、撮影シーンに応じた撮影条件がデジタルカメラ１内部に自動的に設定されて撮影が行なわれるようになる。
【００８５】
また、図２（ｃ）に示すように、カメラボディ１ａの背面側には、画像表示装置１３が設けられており、撮影モード時には、この画像表示装置１３上に被写体が表示されたり、メニューが表示されたりする。この撮影モードにあるときに画像表示装置１３の脇にある再生ボタン１４が一度押されると、再生モードに切り替わり既撮影画像が画像表示装置１３上に表示され、この再生ボタン１４が再度押されると、撮影モードに切り替わりスルー画像が画像表示装置１３上に表示される。また、再生モードボタン１４の横には、Ｆ（フォトモード）ボタン１５が配備されており、よく用いられるモード、例えばピクセル設定モードや感度設定モードなどの切り替えがこのＦボタン１５の操作により簡単に行なえるようにもなっている。
【００８６】
また、そのＦボタン１５の下方には十字キー１６やＯＫ／メニューボタン１７が配備され上方にはズームスイッチ１８が配備されている。これら十字キー１６やＯＫ／メニューボタン１７の操作により、セットアップメニューに切り替えて日時の設定や画像表示を行なうか否かの設定等を行なったり、撮影メニューに切り替えて連写，セルフタイマ等を選択したりすることができる。
【００８７】
また、十字キー１６の下方には、画像表示装置１３の表示を切り換えたり操作を途中でやめるときなどに使用されるＤＳＰ／ＢＡＣＫボタン２１が配備されている。
【００８８】
さらに、図２（ｂ）に示すカメラボディ１ａの正面には測光センサ１９０や閃光発光窓１９１が配備されており、閃光発光が必要な場合にはその閃光発光窓１９１から閃光が被写体に向けて発光されるようになっている。また、図２（ｂ）に示すカメラボディ１ａの下部には音声を録音するためのマイクロフォン１５０が配備されるとともに、カメラボディ１ａの側面には前述したＵＳＢ接続部１７０が設けられている。また、図２（ｃ）に示すカメラボディ１ａの底面には、スピーカ１８０が配備されている。
【００８９】
図３は、図１に示すデジタルカメラの内部構成を示す図である。
【００９０】
このデジタルカメラ１には、撮影光学系を構成するズームレンズ１０＿１ａ，アイリス１０＿１ｂ，フォーカスレンズ１０＿１ｃと、それらズームレンズ１０＿１ａ，アイリス１０＿１ｂ，フォーカスレンズ１０＿１ｃを駆動することによりズーミング，露光量調整，フォーカシングを行なうためのモータドライバ１１１，１１２，１１３が備えられている。
【００９１】
また、デジタルカメラ１には、ＣＣＤ１１４と、タイミングジェネレータ１１５と、ＣＰＵ１１６とが備えられている。
【００９２】
ＣＣＤ１１４は、ズームレンズ１０＿１ａ，アイリス１０＿１ｂ，フォーカスレンズ１０＿１ｃを経由してきた被写体光を捉える固体撮像素子である。このＣＣＤ１１４には、入射された被写体光を電気信号である画像信号に変換するフォトダイオード等の光電変換素子が多数個備えられている。
【００９３】
タイミングジェネレータ１１５は、ＣＰＵ１１６からの指示により所定のタイミングでＣＣＤ１１４を駆動する。これにより、ＣＣＤ１１４に入射されている被写体光が所定のフレームレートで光電変換され、そのＣＣＤ１１４からアナログ画像信号として出力される。
【００９４】
ＣＰＵ１１６は、このデジタルカメラ１全体の制御を行なう。具体的には、ＣＰＵ１１６にはＲＯＭが内蔵されており、その内蔵されたＲＯＭのプログラムの手順にしたがってデジタルカメラ１全体の動作が制御される。
【００９５】
さらに、デジタルカメラ１には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００９６】
また、デジタルカメラ１には、ＳＤＲＡＭ１２５の画像データを読み出させ、ＹＣ信号への変換を行なう画像処理プロセスを実行する画像信号処理回路１２０と、画像処理プロセスが終了した時点でＪＰＥＧプロセスを実行して画像データの圧縮を行なう圧縮処理回路１２１と、画像データをビデオ信号に変換して前述した画像表示装置１３に導くためのビデオエンコーダ１２２とが備えられている。
【００９７】
さらに、デジタルカメラ１には、画像のピント情報を検出するＡＦ検出回路１２３と、画像の輝度情報と白色バランス情報を検出するＡＥ＆ＡＷＢ検出部１２４と、作業領域用のメモリとして使用されるとともに、後述する音声ファイルおよびスケジュール情報ファイルが格納されるＳＤＲＡＭ１２５と、Ａ領域，Ｂ領域を有する表示用のバッファとしてのＶＲＡＭ１２６と、画像データを記録メディア１００に記憶するための制御を行なうメディアコントローラ１２７とが備えられている。
【００９８】
また、この図３には、前述したパワーボタン１１，レリーズボタン１２，撮影モードダイヤル１２＿１，再生ボタン１４，Ｆボタン１５，十字キー１６，ＯＫ／メニューボタン１７，ズームスイッチ１８，ＤＳＰ／ＢＡＣＫボタン２１からなる操作部１０＿１００が示されている。
【００９９】
さらに、デジタルカメラ１には、マイクロフォン１５０と、そのマイクロフォン１５０からのアナログの音声信号をデジタルの音声信号に変換するＡ／Ｄ変換回路１５１とが備えられている。これらマイクロフォン１５０およびＡ／Ｄ変換回路１５１が、本発明にいう音声を取得する音声取得手段の一例に相当する。
【０１００】
また、デジタルカメラ１には、マイクロフォン１５０およびＡ／Ｄ変換回路１５１で取得される音声を画像に対応づける対応づけ手段１５２が備えられている。
【０１０１】
さらに、デジタルカメラ１には、図１に示すパーソナルコンピュータ２００に向けて画像を送信するとともに、そのパーソナルコンピュータ２００に向けて、マイクロフォン１５０およびＡ／Ｄ変換回路１５１で取得された音声を、対応づけ手段１５２で対応づけられた画像との対応づけ情報を伴って送信する通信Ｉ／Ｆ１５３（本発明にいう送信手段の一例に相当）が備えられている。この通信Ｉ／Ｆ１５３は、前述したＵＳＢ接続部１７０を有する。
【０１０２】
また、デジタルカメラ１には、マイクロフォン１５０およびＡ／Ｄ変換回路１５１で取得した音声を格納した音声ファイルを作成する音声ファイル作成手段１６０が備えられている。ここで、通信Ｉ／Ｆ１５３は、パーソナルコンピュータ２００に向けて音声を送信するにあたり、音声ファイル作成手段１６０で作成された音声ファイルを送信する。
【０１０３】
さらに、デジタルカメラ１には、そのデジタルカメラ１の地理上の位置情報を取得するＧＰＳ位置情報取得手段１５４（本発明にいう位置情報取得手段の一例に相当）が備えられている。具体的には、ＧＰＳ位置情報取得手段１５４は、ＧＰＳ（Ｇｌｏｂａｌ  Ｐｏｓｉｔｉｏｎｉｎｇ  Ｓｙｓｔｅｍ）衛星からのＧＰＳ信号を受信してＧＰＳ位置（現在位置）データを取得する。
【０１０４】
また、デジタルカメラ１には、日時情報を取得する日時情報取得手段１５５と、このデジタルカメラ１のユーザのスケジュール情報を取得するスケジュール情報取得手段１５６とが備えられている。ここで、通信Ｉ／Ｆ１５３は、パーソナルコンピュータ２００に向けて、さらに、ＧＰＳ位置情報取得手段１５４、日時情報取得手段１５５、およびスケジュール情報取得手段１５６によりそれぞれ取得された位置情報、日時情報、およびスケジュール情報を送信する。
【０１０５】
さらに、デジタルカメラ１には、音声を再生するための音声信号を生成する音声再生回路１５７と、その音声再生回路１５７からの音声信号を入力して音声を発生するスピーカ１８０が備えられている。
【０１０６】
ここで、デジタルカメラ１の動作について簡単に説明する。このデジタルカメラ１の動作は統括的にＣＰＵ１１６により制御される。このＣＰＵ１１６内にはＲＯＭが内蔵されており、その内蔵されたＲＯＭ内にプログラムが格納されている。このプログラムの手順にしたがってデジタルカメラ１全体の動作がＣＰＵ１１６により制御される。また、ＳＤＲＡＭ１２５にはＲＯＭに記述されているプログラムの手順にしたがってＣＰＵ１１６がこのデジタルカメラ１全体を制御しているときに、処理中の画像データが一時的に格納されたりする。
【０１０７】
また、表示用のバッファとしてのＶＲＡＭ１２６にはスルー画像を表わす画像データがＡ領域、Ｂ領域に順次記憶され、それらの領域にある画像データが交互にビデオエンコーダ１２２に供給され画像データに基づく画像が順次切り換えられてスルー画像として画像表示装置１３上に表示される。
【０１０８】
次に、このデジタルカメラ１の画像データの流れについて簡単に説明する。ＣＰＵ１１６は撮影光学系を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理回路１２０で表示可能な画像データに変換してスルー画像を画像表示装置１３の画面上に表示させる。そのスルー画像に基づいて任意にフレーミングが行なわれ、ＡＦ検出回路１２３が絶えずフォーカスレンズ１０＿１ｃを前後させ合焦点検出を行なってフレーミングの中央に焦点のあった画像をＣＣＤ１１４に結像させる。このときにはＡＥ＆ＡＷＢ検出回路１２４によって被写界輝度が検出され、その検出結果に基づいてモータドライバ１１２により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。撮影者はこのスルー画像を見ながらフレーミングを行ない、シャッタチャンスにレリーズ操作を行なう。
【０１０９】
レリーズ操作が行なわれると、ＣＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＣＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＣＰＵ１１６が画像信号処理回路１２０の画像処理プロセスを起動させ、その画像処理プロセスによってＳＤＲＡＭ１２５の画像データを読み出させ、ＹＣ信号への変換を行なわせる。さらに、この画像信号処理回路１２０の画像処理プロセスが終了したことをＣＰＵ１１６が検知すると、ＣＰＵ１１６は圧縮処理回路１２１のＪＰＥＧプロセスを起動させ、ＪＰＥＧプロセスによって画像データの圧縮を行なわせる。この圧縮処理回路１２１での圧縮が完了したことをＣＰＵ１１６が検知すると、ＣＰＵ１１６は次に記録処理プロセスを起動させ、ＪＰＥＧ圧縮された画像データを、メディアコントローラ１２７を介して記録メディア１００に記録させる。以上が撮影データの流れである。
【０１１０】
次に、図１に示すパーソナルコンピュータ２００について説明する。
【０１１１】
図４は、図１に示すパーソナルコンピュータの概略回路ブロックを示す図である。
【０１１２】
図４に示すパーソナルコンピュータ２００には、図１に示す本体部２１０を構成する、各種プログラムを実行するＣＰＵ２０１、ハードディスク装置２０３に格納されたプログラムが読み出されＣＰＵ２０１での実行のために展開される主メモリ２０２、各種プログラムや画像データ等が保存されたハードディスク装置２０３、フレキシブルディスク２０４＿１が装填され、その装填されたフレキシブルディスク２０４＿１をアクセスするフレキシブルディスクドライブ２０４、ＣＤ−ＲＯＭ２０５＿１をアクセスするＣＤ−ＲＯＭドライブ２０５、デジタルカメラ１と接続され、図１に示すＵＳＢ接続部２１４を有する通信Ｉ／Ｆ２０６、および図１に示す表示画面２２０ａを備えた画像表示装置２２０，キーボード２３０，マウス２４０が備えられている。これらはバス２１５を介して相互に接続されている。
【０１１３】
図５は、図１に示すパーソナルコンピュータで実現される画像管理サーバの構成を示す図である。
【０１１４】
図５に示す画像管理サーバ３００には、デジタルカメラ１から送信されてきた画像を受信するとともにそのデジタルカメラ１から送信されてきた音声を受信する図４にも示す通信Ｉ／Ｆ２０６（本発明にいう受信手段の一例）が備えられている。
【０１１５】
また、この画像管理サーバ３００には、通信Ｉ／Ｆ２０６で受信した画像を画像データベース３０１に保管する保管手段３０２と、通信Ｉ／Ｆ２０６で受信した音声を認識してテキストに変換する音声認識手段３０３と、音声認識手段３０３で音声が認識されてなるテキストに基づいて、画像に付加される付加情報（メタデータ）を生成する付加情報生成手段３０４とが備えられている。ここで、保管手段３０２は、ＥｘｉｆファイルやＪＰＥＧファイル等の画像を画像データベース３０１に保管するとともに、付加情報生成手段３０４で生成された付加情報を、その付加情報生成の基になった音声に対応づけられた画像に対応づけて画像データベース３０１に保管する。
【０１１６】
また、通信Ｉ／Ｆ２０６は、さらに、デジタルカメラ１から送信されてきた位置情報、日時情報、およびスケジュール情報を受信するものであり、付加情報生成手段３０４は、音声認識手段３０３で音声が認識されてなるテキストに基づくとともに、通信Ｉ／Ｆ２０６で受信した位置情報、日時情報、およびスケジュール情報にも基づいて付加情報を生成する。
【０１１７】
さらに、画像管理サーバ３００には、地図を管理する地図データベース３０５が備えられており、付加情報生成手段３０４は、さらに、地図データベース３０５内の地図にも基づいて付加情報を生成する。ここで、地図データベース３０５で管理される地図を表わす情報としては、地形情報、地名、施設名、緯度、経度等がある。
【０１１８】
また、画像管理サーバ３００には、通信Ｉ／Ｆ２０６で受信した画像からその画像上に写った顔を認識する顔認識手段３０６が備えられている。ここで、付加情報生成手段３０４は、音声認識手段３０３で音声が認識されてなるテキストに基づくとともに、顔認識手段３０６で認識された、画像上の顔にも基づいて付加情報を生成する。
【０１１９】
さらに、画像管理サーバ３００には、顔情報を管理する顔情報データベース３０７が備えられており、付加情報生成手段３０４は、さらに顔情報データベース３０７内の顔情報にも基づいて付加情報を生成する。
【０１２０】
また、画像管理サーバ３００には、音声認識手段３０３で音声が認識されてなるテキストと顔認識手段３０６で認識された画像上の顔とに基づいて新たな顔情報を生成して顔情報データベース３０７に追加する顔情報追加手段３０８が備えられている。
【０１２１】
ここで、付加情報生成手段３０４は、音声認識手段３０３で音声が認識されてなるテキストに基づいて付加情報生成に関するコマンドを認識するコマンド認識手段３０４ａを含み、このコマンド認識手段３０４ａで認識したコマンドに従って付加情報を生成する。
【０１２２】
また、通信Ｉ／Ｆ２０６は、音声の受信にあたり、デジタルカメラ１で作成されてそのデジタルカメラ１から送信されてきた音声ファイルを受信する。
【０１２３】
さらに、画像管理サーバ３００には、例えばＥｘｉｆファイルの付加情報（ＧＰＳ位置情報を含む）を解析する付加情報解析部３０９も備えられている。
【０１２４】
図６は、図５に示す付加情報生成手段におけるコンテキスト推定のアルゴリズムのフローを示す図である。
【０１２５】
先ず、ステップＳ１において、付加情報解析結果を取得する。具体的には、画像ファイル中のＥｘｉｆ情報から撮影日時（日時Ａと記述する）、撮影地の緯度，経度情報を取得する。次に、ステップＳ２において、画像と関連づけられたスケジュール情報ファイルがあるか否かが判定される。スケジュール情報ファイルがないと判定された場合は、後述するステップＳ７に進む。一方、スケジュール情報ファイルがあると判定された場合は、ステップＳ３に進む。
【０１２６】
ステップＳ３では、スケジュール情報ファイルからスケジュール情報（日時、地名、施設名、各一覧等）を取得する。さらに、ステップＳ４において、スケジュール情報から、日時Ａに該当するスケジュールを検索する。
【０１２７】
次いで、ステップＳ５において、日時Ａに該当するスケジュールがあるか否かが判定される。日時Ａに該当するスケジュールがないと判定された場合は、ステップＳ７に進む。一方、日時Ａに該当するスケジュールがあると判定された場合は、ステップＳ６において、該当スケジュール中の地名、施設名をキーワードＡとして抽出する。
【０１２８】
ステップＳ７では、音声認識手段で認識した地名、施設名をキーワードＢとして取得する。
【０１２９】
さらに、ステップＳ８において、地図データベースからキーワードＡ，Ｂを検索語として検索する。検索範囲は撮影地の緯度，経度近傍とし、具体的な範囲はシステムで任意に設定する（例えば５００ｍとする）。検索結果が推定したコンテキストである。
【０１３０】
次に、ステップＳ９において、コンテキスト、キーワードＡ，Ｂをメタデータ（付加情報）に変換して出力し、このフローを終了する。
【０１３１】
図７は、デジタルカメラで作成された画像ファイルおよび音声ファイルの格納構造を示す図である。
【０１３２】
図７には、デジタルカメラ１の記録メディア１００全体の内容を表わすメインフォルダ４００（フォルダ名ＤＣＩＭ）が示されている。このメインフォルダ４００には、画像データフォルダ４１０（フォルダ名１００＿ＡＢＣ）が格納されている。画像データフォルダ４１０には、ＪＰＥＧ用の画像ファイル４１１（フォルダ名ＤＳＣＦ０００７．ＪＰＧ），音声ファイル４１２（フォルダ名ＤＳＣＦ０００７．ＷＡＶ），…，音声ファイル４１ｎ（フォルダ名ＤＳＣＦ０００ｎ．ＷＡＶ）が格納されている。
【０１３３】
図８は、デジタルカメラのメモリ（ＳＤＲＡＭ）に格納されたスケジュール情報ファイルの一例を示す図である。
【０１３４】
尚、デジタルカメラ１のメモリ（ＳＤＲＡＭ）１２５にスケジュール情報ファイルを格納するには、例えばパーソナルコンピュータ２００上でスケジュールソフトを起動してスケジュール情報を作成したり編集したりしてスケジュール情報ファイルを作成しておき、通信Ｉ／Ｆ２０６，１５３を経由してデジタルカメラ１のＳＤＲＡＭ１２５に格納する。
【０１３５】
この図８には、デジタルカメラ１のＳＤＲＡＭ１２５に格納されたスケジュール情報ファイル５００が示されている。このスケジュール情報ファイル５００は、全体のスケジュールのタイトル名を示す情報が格納されたタイトル部５１０と、第１のスケジュールの種類や日程等の情報を示す情報が格納された第１のスケジュール部５２０と、第２のスケジュールの種類や日程等の情報を示す情報が格納された第２のスケジュール部５３０とから構成されている。
【０１３６】
図９は、デジタルカメラで音声を取得する音声取得処理ルーチンのフローを示す図である。
【０１３７】
デジタルカメラ１のレリーズボタン１２が押されて撮影が完了したことをトリガにして、この音声取得処理ルーチンが起動する。尚、ここでは、デジタルカメラ１のレリーズボタン１２が押されて撮影が完了したことをトリガにして、音声取得処理ルーチンを起動する例で説明するが、このデジタルカメラ１に録音開始ボタンを備え、この録音開始ボタンをユーザが明示的に押したり、あるいはメニューから録音開始→ＯＫを選択してもよい。
【０１３８】
先ず、ステップＳ１１において、音声を取得するための録音開始を行なう。次に、ステップＳ１２において、自動的に録音の開始を行なう自動スタートか否かが判定される。ここでは、自動スタートであると判定されてステップＳ１４に進む。尚、例えばユーザがメニューから録音開始を選択した場合は、自動スタートではないと判定されてステップＳ１３に進む。ステップＳ１３では、録音対象を選択する。ここで、図１０を参照して、ステップＳ１３における操作について説明する。
【０１３９】
図１０は、デジタルカメラの画像表示装置上に表示された、ステップＳ１３において録音対象を選択するための画像ファイル構造を示す図である。
【０１４０】
図１０に示す画像表示装置１３上には、記録メディア１００全体の内容を表わすメインフォルダ４００（フォルダ名ＤＣＩＭ）が示されている。このメインフォルダ４００には、画像データフォルダ４１０（フォルダ名１００＿ＡＢＣ）と、画像データフォルダ４２０（フォルダ名１０１＿ＡＢＣ）が格納されている。画像データフォルダ４１０には、ＪＰＥＧ用の画像ファイル４１０＿１（フォルダ名ＤＳＣＦ０００１．ＪＰＧ），ＪＰＥＧ用の画像ファイル４１０＿２（フォルダ名ＤＳＣＦ０００２．ＪＰＧ），…が格納されている。
【０１４１】
ここで、録音対象を選択するにあたり、十字キー１６等を操作してメインフォルダ４００を選択した場合、カメラ内の全画像に対して共通に音声を対応づけて音声ファイルを作成する。作成された音声ファイルは、メインフォルダ４００に配置される。
【０１４２】
また、画像データフォルダ４１０を選択した場合、当該画像データフォルダ４１０内にある全ての画像に対して共通に音声を対応づけて音声ファイルを作成する。作成された音声ファイルは、画像データフォルダ４１０に、例えばフォルダ名４１０＿ＡＢＣ．ＷＡＶとして配置される。
【０１４３】
さらに、個別の画像を選択した場合、当該画像のみに対して音声を対応づけて音声ファイルを作成する。作成された音声ファイルは、例えば前述した図７に示すように配置される。尚、個別の画像を選択する場合、以下の図１１に示すように、サムネイル画像から選択してもよい。
【０１４４】
図１１は、デジタルカメラの画像表示装置上に表示されたサムネイル画像を示す図である。
【０１４５】
図１１に示す画像表示装置１３上には、９個のサムネイル画像４３１，…，４３９が表示されている。ここでは、９個のサムネイル画像４３１，…，４３９のうちのサムネイル画像４３６が選択されている様子が示されている。このように、複数のサムネイル画像を表示しておき、これらのサムネイル画像から個別の画像を選択してもよい。
【０１４６】
再び、図９に戻って説明を続ける。ステップＳ１４では、録音を実行する。録音の実行は、自動スタートの場合は、直ちに録音が開始される。一方、ステップＳ１３において録音対象を選択した場合は、例えば録音開始ボタンを押すことにより録音が開始される。
【０１４７】
さらに、ステップＳ１５において、録音を終了して、このフローを終了する。尚、録音の終了は、タイマで自動的に終了してもよく、あるいは録音開始ボタンを再度押すことにより終了してもよい。
【０１４８】
図１２は、図５に示す画像管理サーバにおける画像管理方法の概略のステップを示す図である。
【０１４９】
先ず、受信ステップＳ２１において、デジタルカメラ１から送信されてきた画像を受信するとともにデジタルカメラ１から送信されてきた音声を受信する。ここで、この受信ステップＳ２１は、音声の受信にあたり、デジタルカメラ１で作成されてそのデジタルカメラ１から送信されてきた音声ファイルを受信する。また、この受信ステップＳ２１は、さらに、デジタルカメラ１１から送信されてきた位置情報、日時情報、およびスケジュール情報を受信する。
【０１５０】
次いで、顔認識ステップＳ２２において、受信ステップＳ２１で受信した画像からその画像上に写った顔を認識する。
【０１５１】
さらに、第１の保管ステップＳ２３において、受信ステップＳ２１で受信した画像を保管する。
【０１５２】
次に、音声認識ステップＳ２４において、受信ステップＳ２１で受信した音声を認識してテキストに変換する。
【０１５３】
さらに、付加情報生成ステップＳ２５において、音声認識ステップＳ２４で音声が認識されてなるテキストに基づいて、画像に付加される付加情報を生成する。詳細には、この付加情報生成ステップＳ２５では、音声認識ステップＳ２４で音声が認識されてなるテキストに基づくとともに、受信ステップＳ２１で受信した位置情報、日時情報、およびスケジュール情報にも基づいて付加情報を生成する。さらに、地図データベース内の地図にも基づいて付加情報を生成する。
【０１５４】
また、この付加情報生成ステップＳ２５では、音声認識ステップＳ２４で音声が認識されてなるテキストに基づくとともに、顔認識ステップＳ２２で認識された、画像上の顔にも基づいて付加情報を生成する。また、顔情報データベース内の顔情報にも基づいて付加情報を生成する。さらに、音声認識ステップＳ２４で音声が認識されてなるテキストと顔認識ステップＳ２２で認識された画像上の顔とに基づいて新たな顔情報を生成して顔情報データベースに追加する顔情報追加ステップを実行する。
【０１５５】
また、この付加情報生成ステップＳ２５では、音声認識ステップＳ２４で音声が認識されてなるテキストに基づいて、付加情報生成に関するコマンドを認識するコマンド認識ステップを含み、そのコマンド認識ステップで認識したコマンドに従って付加情報を生成する。
【０１５６】
次に、第２の保管ステップＳ２６において、画像を保管するとともに、付加情報生成ステップＳ２５で生成された付加情報を、その付加情報生成の基になった音声に対応づけられた画像に対応づけて保管して、このフローを終了する。
【０１５７】
図１３は、図５に示す画像管理サーバにおいて、音声が認識されてなるテキストに基づくとともに画像上の顔にも基づいて付加情報を生成して登録するまでのルーチンのフローを示す図である。
【０１５８】
例えば、図７に示す、デジタルカメラ１で作成された音声ファイル（ＷＡＶ）および画像ファイル（ＪＰＧ）を対象とする場合、音声ファイル（ＷＡＶ）に対してはステップＳ３１〜ステップＳ３４までの処理を行ない、画像ファイル（ＪＰＧ）に対してはステップＳ３５〜ステップＳ３７までの処理を行なう。
【０１５９】
先ず、ステップＳ３１において、音声ファイル（ＷＡＶ）に関連する音声情報を選択する。次に、ステップＳ３２において、音声を認識する。さらに、ステップＳ３３において、音声が認識されてなるテキストに基づいて、付加情報生成に関するコマンドを検出し、ステップＳ３４において、そのコマンドを解析する。これらステップＳ３３，Ｓ３４が、本発明にいうコマンド認識ステップに相当する。ステップＳ３８では、このコマンドに従ってメタデータ（付加情報）を生成する。
【０１６０】
さらに、ステップＳ３５，Ｓ３６，Ｓ３７で顔解析が行なわれる。先ず、ステップＳ３５において、画像ファイル（ＪＰＧ）から顔を抽出する。次いで、ステップＳ３６において、抽出した顔を認識してステップＳ３７に進む。ステップＳ３７では、認識した顔のデータを照合する。次いで、ステップＳ３８で、この顔データに従ったメタデータ（付加情報）を生成する。さらに、ステップＳ３９において、ステップＳ３８で生成したメタデータを付加し、ステップＳ４０（本発明にいう顔情報追加ステップに相当）において新たな顔情報を生成して顔情報データベースに追加登録して、このフローを終了する。
【０１６１】
図１４は、図５に示す画像管理サーバにおいて、音声が認識されてなるテキストに基づくとともにスケジュール情報に従った付加情報を生成する場合のルーチンのフローを示す図である。
【０１６２】
図１４に示すステップＳ３１〜ステップＳ３４は、前述した図１３に示すステップＳ３１〜ステップＳ３４と同じであるため、説明は省略する。ここでは、ステップＳ５１，Ｓ５２でスケジュール情報解析が行なわれる。先ず、ステップＳ５１において、スケジュール情報ファイル（ＩＣＳ）に関連するスケジュール情報を読み出す。次に、ステップＳ５２において、スケジュール情報を抽出する。さらに、ステップＳ５３に進む。
【０１６３】
ステップＳ５３では、このスケジュール情報に従ったメタデータ（付加情報）を生成する。さらに、ステップＳ５４において、ステップＳ５３で生成したメタデータを画像に付加して、このフローを終了する。
【０１６４】
図１５は、本発明の第２実施形態の画像管理システムを構成するデジタルカメラの内部構成を示す図、図１６は、本発明の第２実施形態の画像管理システムを構成する画像管理サーバの構成を示す図である。
【０１６５】
図１５に示すデジタルカメラ２は、本発明の撮影装置の第２実施形態に相当するものであり、このデジタルカメラ２は、前述した図３に示すデジタルカメラ１と比較し、音声ファイル作成手段１６０が削除されている点と、通信Ｉ／Ｆ１５３が、図１６に示す画像管理サーバ６００に向けて音声を送信するにあたり、マイクロフォン１５０およびＡ／Ｄ変換回路１５１で取得した音声をそのまま送信する点とが異なっている。
【０１６６】
一方、図１６に示す画像管理サーバ６００は、本発明の画像管理サーバの第２実施形態に相当するものであり、この画像管理サーバ６００は、前述した図５に示す画像管理サーバ３００と比較し、通信Ｉ／Ｆ２０６で受信した音声を格納した音声ファイルを作成する音声ファイル作成手段６０１が追加されている点と、通信Ｉ／Ｆ２０６が、音声の受信にあたり、デジタルカメラ２で取得されてそのまま送信されてきた音声を受信する点とが異なっている。
【０１６７】
図１７は、図１６に示す画像管理サーバにおける画像管理方法のステップを示す図である。
【０１６８】
図１７に示す画像管理方法のステップは、前述した図１２に示す画像管理方法のステップと比較し、受信ステップＳ２１の役割が異なっている点と、音声ファイル作成ステップＳ６１が追加されている点とが異なっている。
【０１６９】
図１７に示す受信ステップＳ２１では、音声の受信にあたり、デジタルカメラ２で取得されてそのまま送信されてきた音声を受信する。また、音声ファイル作成ステップＳ６１では、受信ステップ２１で受信した音声を格納した音声ファイルを作成する。このため、デジタルカメラ２側の音声処理の負担をさらに軽減することができる。
【０１７０】
尚、本実施形態では、デジタルカメラとパーソナルコンピュータとをＵＳＢケーブルで接続した有線通信の例で説明したが、これに限られるものではなく、例えば、デジタルカメラやそのデジタルカメラの機能を備えた携帯電話等の撮影装置とパーソナルコンピュータ等の画像管理サーバとをブルートゥース規格に準拠した電波通信やＩｒＤＡに準拠した赤外線通信等の無線通信で行なってもよく、さらに、これらに限られるものではなく、本発明は、撮像素子上に被写体を結像させて画像を生成する撮影装置と、その撮影装置から画像を受け取って管理する画像管理サーバとの間で通信するものに適用することができる。
【図面の簡単な説明】
【０１７１】
【図１】本発明の第１実施形態の画像管理システムを示す図である。
【図２】図１に示すデジタルカメラを上方から見た上面図、正面から見た正面図、および背面から見た背面図である。
【図３】図１に示すデジタルカメラの内部構成を示す図である。
【図４】図１に示すパーソナルコンピュータの概略回路ブロックを示す図である。
【図５】図１に示すパーソナルコンピュータで実現される画像管理サーバの構成を示す図である。
【図６】図５に示す付加情報生成手段におけるコンテキスト推定のアルゴリズムのフローを示す図である。
【図７】デジタルカメラで作成された画像ファイルおよび音声ファイルの格納構造を示す図である。
【図８】デジタルカメラのメモリ（ＳＤＲＡＭ）に格納されたスケジュール情報ファイルの一例を示す図である。
【図９】デジタルカメラで音声を取得する音声取得処理ルーチンのフローを示す図である。
【図１０】デジタルカメラの画像表示装置上に表示された、ステップＳ１３において録音対象を選択するための画像ファイル構造を示す図である。
【図１１】デジタルカメラの画像表示装置上に表示されたサムネイル画像を示す図である。
【図１２】図５に示す画像管理サーバにおける画像管理方法の概略のステップを示す図である。
【図１３】図５に示す画像管理サーバにおいて、音声が認識されてなるテキストに基づくとともに画像上の顔にも基づいて付加情報を生成して登録するまでのルーチンのフローを示す図である。
【図１４】図５に示す画像管理サーバにおいて、音声が認識されてなるテキストに基づくとともにスケジュール情報に従った付加情報を生成する場合のルーチンのフローを示す図である。
【図１５】本発明の第２実施形態の画像管理システムを構成するデジタルカメラの内部構成を示す図である。
【図１６】本発明の第２実施形態の画像管理システムを構成する画像管理サーバの構成を示す図である。
【図１７】図１６に示す画像管理サーバにおける画像管理方法のステップを示す図である。
【符号の説明】
【０１７２】
１，２  デジタルカメラ
１ａ  カメラボディ
１０  レンズ鏡胴
１０＿１ａ  ズームレンズ
１０＿１ｂ  アイリス
１０＿１ｃ  フォーカスレンズ
１０＿１００  操作子群
１１  パワーボタン
１２  レリーズボタン
１２＿１  撮影モードダイヤル
１３  画像表示装置
１４  再生ボタン
１５  Ｆボタン
１６  十字キー
１７  ＯＫ／メニューボタン
１８  ズームスイッチ
２１  ＤＳＰ／ＢＡＣＫボタン
３０  ＵＳＢケーブル
３１，３２  ＵＳＢコネクタ
１００  記録メディア
１１１，１１２，１１３  モータドライバ
１１４  ＣＣＤ
１１５  タイミングジェネレータ
１１６，２０１  ＣＰＵ
１１７  ＣＤＳＡＭＰ
１１８  Ａ／Ｄ変換部
１１９  画像入力コントローラ
１２０  画像信号処理回路
１２１  圧縮処理回路
１２２  ビデオエンコーダ
１２３  ＡＦ検出回路
１２４  ＡＥ＆ＡＷＢ検出回路
１２５  メモリ（ＳＤＲＡＭ）
１２６  ＶＲＡＭ
１２７  メディアコントローラ
１５０  マイクロフォン
１５１  Ａ／Ｄ変換回路
１５２  対応づけ手段
１５３，２０６  通信Ｉ／Ｆ
１５４  ＧＰＳ位置情報取得手段
１５５  日時情報取得手段
１５６  スケジュール情報取得手段
１５７  音声再生回路
１６０，６０１  音声ファイル作成手段
１７０，２１４  ＵＳＢ接続部
１８０  スピーカ
１９０  測光センサ
１９１  閃光発光窓
２００  パーソナルコンピュータ
２０２  主メモリ
２０３  ハードディスク装置
２０４  フレキシブルディスクドライブ
２０４＿１  フレキシブルディスク
２０５  ＣＤ−ＲＯＭドライブ
２０５＿１  ＣＤ−ＲＯＭ
２１０  本体部
２１１  ＣＤ−ＲＯＭ装填口
２１２  フレキシブルディスク装填口
２１３  電源スイッチ
２１５  バス
２２０  画像表示装置
２２０ａ  表示画面
２３０  キーボード
２４０  マウス
３００，６００  画像管理サーバ
３０１  画像データベース
３０２  保管手段
３０３  音声認識手段
３０４  付加情報生成手段
３０４ａ  コマンド認識手段
３０５  地図データベース
３０６  顔認識手段
３０７  顔情報データベース
３０８  顔情報追加手段
３０９  付加情報解析部
４００  メインフォルダ
４１０，４２０  画像データフォルダ
４１０＿１，４１０＿２，４１１  画像ファイル
４１２，…，４１ｎ  音声ファイル
４３１，…，４３９  サムネイル画像
５００  スケジュール情報ファイル
５１０  タイトル部
５２０，５３０  スケジュール部
１０００  画像管理システム
【図１】
2008085582.tif 000003
【図２】
2008085582.tif 000004
【図３】
2008085582.tif 000005
【図４】
2008085582.tif 000006
【図５】
2008085582.tif 000007
【図６】
2008085582.tif 000008
【図７】
2008085582.tif 000009
【図８】
2008085582.tif 000010
【図９】
2008085582.tif 000011
【図１０】
2008085582.tif 000012
【図１１】
2008085582.tif 000013
【図１２】
2008085582.tif 000014
【図１３】
2008085582.tif 000015
【図１４】
2008085582.tif 000016
【図１５】
2008085582.tif 000017
【図１６】
2008085582.tif 000018
【図１７】
2008085582.tif 000019